(57)【要約】【課題】  日付の管理が容易化され、ビジネス等に好適なカレンダーを提供する。【解決手段】  複数枚の基材１０の各々に、少なくとも１ヶ月間の日付がマトリクス状に配列された日付表示マトリクス８が表示され、複数枚の基材によって少なくとも１年分の日付表示が可能とされるカレンダー１であって、この日付表示マトリクス８における一方の配列１１が、月曜日、火曜日、水曜日、木曜日、金曜日、土曜日、日曜日の順に構成されているようにした。【選択図】図２
0003109609.tif 000002
【実用新案登録請求の範囲】
【請求項１】
複数枚の基材の各々に、少なくとも１ヶ月間の日付がマトリクス状に配列された日付表示マトリクスが表示され、該複数枚の基材によって少なくとも１年分の日付表示が可能とされるカレンダーであって、
前記日付表示マトリクスにおける一方の配列が、月曜日、火曜日、水曜日、木曜日、金曜日、土曜日、日曜日の順に構成されていることを特徴とするカレンダー。
【請求項２】
複数枚の基材の各々に、少なくとも１ヶ月間の日付がマトリクス状に配列された日付表示マトリクスが表示され、該複数枚の基材によって少なくとも１年分の日付表示が可能とされるカレンダーであって、
前記日付表示マトリクスの前記配列が、日曜日、月曜日、火曜日、水曜日、木曜日、金曜日、土曜日、日曜日の順に構成されていることを特徴とするカレンダー。
【請求項３】
請求項２において、
前記配列に存在する２つの前記日曜日の一方を、覆い隠すことが可能な非表示カバーを備えることを特徴とするカレンダー。
【請求項４】
請求項２又は３において、
前記配列における日曜日と月曜日の間に切断線が形成されており、前記基材における該日曜日と該月曜日の間を分断可能となっていることを特徴とするカレンダー。
【請求項５】
請求項２、３又は４において、
前記配列における土曜日と日曜日の間に切断線が形成されており、前記基材における該土曜日と該日曜日の間を分断可能となっていることを特徴とするカレンダー。
【請求項６】
請求項２乃至５のいずれかにおいて、
前記配列における月曜日と火曜日の間に切断線が形成されており、該切断線によって分断されて前記月曜日及び隣接する前記日曜日を含む事となる切断片が、該月曜日と該日曜日の間で折りたたみ可能となっていることを特徴とするカレンダー。
【請求項７】
請求項２乃至６のいずれかにおいて、
前記配列における金曜日と土曜日の間に切断線が形成されており、該切断線によって分断されて前記土曜日及び隣接する前記日曜日を含む事となる切断片が、該土曜日と該日曜日の間で折りたたみ可能となっていることを特徴とするカレンダー。
【請求項８】
請求項１乃至７のいずれかにおいて、
前記日付表示マトリクスにおける各日付表示欄に、スケジュールを書き込むことが可能な書き込み空間が用意されていることを特徴とするカレンダー。
【請求項９】
請求項１乃至８のいずれかにおいて、
前記日付表示マトリクスの下方に、該日付表示マトリクスに対応する月の運勢情報が表示されていることを特徴とするカレンダー。
【請求項１０】
請求項１乃至９のいずれかにおいて、
前記日付表示マトリクスと運勢情報との間に切断線が形成されていることを特徴とするカレンダー。
【請求項１１】
請求項１乃至１０のいずれかにおいて、
前記基材を少なくとも１３枚有しており、１３ヶ月間の日付を表示可能となっていることを特徴とするカレンダー。
【考案の詳細な説明】
【技術分野】
【０００１】
本考案は、日付を表示するためのカレンダーに関するものであり、特に、ビジネスを行っている者に対して好適なカレンダーに関する。
【背景技術】
【０００２】
従来、日付を管理する基本的な方法の一つして、カレンダーが広く利用されている。この種のカレンダーは、紙やフィルム等のシート状の基材上に、少なくとも１月分の日付がマトリクス状に印刷されているものが一般的である。壁や机等にカレンダーを設置しておくことで、何時でも簡単に日付を確認できるようになっている。マトリクスの縦方向は、一般的に、上から第１週、第２週、第３週、第４週と配列されており、また横方向は、左端から、日曜、月曜、火曜、水曜、木曜、金曜、土曜という順に配列されている。このようにして、一つのマトリクスにより１ヶ月間を整理して表示するようにしている。
【考案の開示】
【考案が解決しようとする課題】
【０００３】
この種の紙やフィルム等によってアナログ的に活用されるカレンダーは、必ず左端に日曜日が配置されるようになっているが、ビジネス等で用いられる手帳において一ページ毎に一週間表示されるものは、月曜日から開始していることが多い。これは、日ごろのビジネス活動では、月曜から金曜（又は土曜）までを仕事の区切りとしているからである。そして、日曜日（又は土曜日と日曜日）は一週間の終わりとして、次の一週間の鋭気を養うための休憩日と考えている。
【０００４】
それにも拘わらず、シート状のカレンダーでは、日曜日からスタートするのが常識となっている。長年の習慣であるため、それ以上に疑問を持つことは少ないが、心中では不便と感じている者が潜在的に存在する可能性があった。また、週休２日制の勤務形態が普及してきた今日では、週末の生活も、土曜日と日曜日を連続的に活用する機会が増えてきている。しかし、従来のカレンダーでは、土曜日と日曜日がマトリクスの両端に位置しているので、連続的な日付管理が困難であるという問題があった。
【０００５】
本考案はそのような潜在的なニーズを意識した結果なされたものであり、特に、ビジネスを行っている人にとって好適なカレンダーを提供することを目的としている。
【課題を解決するための手段】
【０００６】
本考案は下記の手段によって上記課題を解決するものである。
【０００７】
（１）複数枚の基材の各々に、少なくとも１ヶ月間の日付がマトリクス状に配列された日付表示マトリクスが表示され、該複数枚の基材によって少なくとも１年分の日付表示が可能とされるカレンダーであって、前記日付表示マトリクスにおける一方の配列が、月曜日、火曜日、水曜日、木曜日、金曜日、土曜日、日曜日の順に構成されていることを特徴とするカレンダー。
【０００８】
（２）複数枚の基材の各々に、少なくとも１ヶ月間の日付がマトリクス状に配列された日付表示マトリクスが表示され、該複数枚の基材によって少なくとも１年分の日付表示が可能とされるカレンダーであって、前記日付表示マトリクスの前記配列が、日曜日、月曜日、火曜日、水曜日、木曜日、金曜日、土曜日、日曜日の順に構成されていることを特徴とするカレンダー。
【０００９】
（３）上記（２）において、前記配列に存在する２つの前記日曜日の一方を、覆い隠すことが可能な非表示カバーを備えることを特徴とするカレンダー。
【００１０】
（４）上記（２）又は（３）において、前記配列における日曜日と月曜日の間に切断線が形成されており、前記基材における該日曜日と該月曜日の間を分断可能となっていることを特徴とするカレンダー。
【００１１】
（５）上記（２）、（３）又は（４）において、前記配列における土曜日と日曜日の間に切断線が形成されており、前記基材における該土曜日と該日曜日の間を分断可能となっていることを特徴とするカレンダー。
【００１２】
（６）上記（２）乃至（５）のいずれかにおいて、前記配列における月曜日と火曜日の間に切断線が形成されており、該切断線によって分断されて前記月曜日及び隣接する前記日曜日を含む事となる切断片が、該月曜日と該日曜日の間で折りたたみ可能となっていることを特徴とするカレンダー。
【００１３】
（７）上記（２）乃至（６）のいずれかにおいて、前記配列における金曜日と土曜日の間に切断線が形成されており、該切断線によって分断されて前記土曜日及び隣接する前記日曜日を含む事となる切断片が、該土曜日と該日曜日の間で折りたたみ可能となっていることを特徴とするカレンダー。
【００１４】
（８）上記（１）乃至（７）のいずれかにおいて、前記日付表示マトリクスにおける各日付表示欄に、スケジュールを書き込むことが可能な書き込み空間が用意されていることを特徴とするカレンダー。
【００１５】
（９）上記（１）乃至（８）のいずれかにおいて、前記日付表示マトリクスの下方に、該日付表示マトリクスに対応する月の運勢情報が表示されていることを特徴とするカレンダー。
【００１６】
（１０）上記（１）乃至（９）のいずれかにおいて、前記日付表示マトリクスと運勢情報との間に切断線が形成されていることを特徴とするカレンダー。
【００１７】
（１１）上記（１）乃至（１０）のいずれかにおいて、
【００１８】
前記基材を少なくとも１３枚有しており、１３ヶ月間の日付を表示可能となっていることを特徴とするカレンダー。
【考案の効果】
【００１９】
本考案によれば、日常の意識に基づいた一週間の管理と、壁等に表示される一覧形式のカレンダーの表示態様を、合理的に一致させることが可能になるという優れた効果を奏し得る。
【考案を実施するための最良の形態】
【００２０】
本考案の実施の形態の例について、図面を参照しながら詳細に説明する。
【００２１】
図１には、本考案の実施の形態の第１例に係る２種類のカレンダー１が示されている。図１（ａ）に示されるカレンダー１は、紙素材となる複数枚の基材１０を備えており、それらが金属のチャック部材３によって綴じられている。各基材１０には１ヶ月間の日付が表示されており、基材１０を毎月切りとっていくことで、月を更新するようになっている。また図１（ｂ）に示されるカレンダー１は、複数毎の基材１０がリング５によって綴られており、毎月、この基材１０をめくる事で月を更新するようになっている。なお、特に図示しないが、本基材は１３枚用意されており、該当年の１月から１２月に加えて、その翌年の１月までが表示可能となっている。このようにすることで、買い換える際の猶予期間、及び、次の新しいカレンダーにスケジュールを書き写すためのバッファ期間を確保可能となっている。
【００２２】
図２には、カレンダー１の基材１０の内部構成が示されている。基材１０には、該当月を表示する月表示欄２、先月及び次月の日付を小さく表示する小日付表示欄４、対応する月の日付を表示する日付表示マトリクス８、この日付表示マトリクス８の下部に配置される運勢情報欄１６、運勢情報欄１６の更に下部に配置されるメモ欄２０を備えている。
【００２３】
日付表示マトリクス８は、横方向の配列１１と縦方向の配列１２によって表状態となっている。横方向の配列１１は、左端から、月曜日、火曜日、水曜日、木曜日、金曜日、土曜日、日曜日の順に構成されており、縦方向の配列１２は、特に明記しないが、第１週、第２週、第３週、第４週、第５週となっている。従って、左端に日曜日が位置する常識的なカレンダーと異なり、右端に日曜日が来るようになっている。
【００２４】
日付表示マトリクス８の個別の日付表示欄１４には、横方向の曜日と縦方向の週に相当する日付が表示されており、更に日付の下に、スケジュールを書き込むことが可能な書き込み空間が大きく用意されている。この空間には、少なくとも２〜３項目の行事や行動予定が記入できるように考慮されている。
【００２５】
運勢情報欄１６には、星座に応じた該当月の運勢状況が示されており、ここでは特に、仕事運、健康運等のバイオリズム１８が表示されている。例えば、１ヶ月間の間で、仕事運の高い日付、低い日付、健康運の高い日付、低い日付等が表示されており、それらを参考に、日々の生活を営むことが可能となる。なお、ここではバイオリズム１８に限って示したが、それ以外にも、他の占いや、血液型等の運勢情報を表示するようにしてもよい。
【００２６】
運勢情報欄１６と日付表示マトリクス８の間には切断線２２が形成されている。これは、運勢情報を不用とする利用者が、当該運勢情報欄１６を切り離すことを可能にするためである。運勢情報を活用するか否かは本人の考え方に依存するので、特に、運勢情報を好まない者は、この切断線２２に沿って容易に運勢情報欄１６を除去できるようになる。なお、ここではメモ欄２０が最下部に位置しているが、例えば、運勢情報欄１６の上に配置しておき、切断線２２で運勢情報欄１６を切り取ったとしても、カレンダー１側にメモ欄２０が残るようにしておくことも望ましい。
【００２７】
本第１実施形態に係るカレンダー１によれば、一週間が月曜日から開始し、日曜日に終了する感覚に基づいて日付管理が可能になる。従って、平日（月曜日〜金曜日又は土曜日）に仕事をしている人にとっては、自分の生活習慣に沿ったカレンダー１となっている。結果として、日付表示マトリクス８の右端に土曜日と日曜日が連続して表示されているので、例えば、土曜日〜日曜日に亘った２日間のレジャーの予定でも、スケジュールを書き込み易くなっている。今日のライフスタイルに沿った合理的なカレンダー１となっていると考えられる。
【００２８】
次に、図３を用いて第２実施形態のカレンダー１０１について説明する。なお、第２実施形態以降で説明するカレンダーに関して、既に詳細に説明した第１実施形態のカレンダー１と共通する部分・部材については、同カレンダー１で付した符号と下２桁を一致させることで、個別の説明は省略することにする。
【００２９】
このカレンダー１０１では、日付表示マトリクス１０８の横方向の配列１１１が、左端から、日曜日、月曜日、火曜日、水曜日、木曜日、金曜日、土曜日、日曜日の順に構成されている。従って、日付表示マトリクス１０８の両端に日曜日が重複して配置するようになっている。例えば、１１月７日（日曜日）に関しては、左端に位置する日付表示欄１１４Ａと、右端に位置する日付表示欄１１４Ｂの２箇所に表示されている。なお、この２箇所の日付表示欄１１４Ａと１１４Ｂは、週末として配置される日付表示欄１１４Ｂと、週頭として配置される日付表示欄１１４Ａとが異なる週に位置する。なお、ここでは左端が日曜日から開始する場合を示したが、例えば、更に左側に土曜日を配置して、土曜日と日曜日が、日付表示マトリクス１０８の両端に位置するようにしても構わない。
【００３０】
このカレンダー１０１によれば、利用者の好みに応じて、日付表示マトリクス１０８の横方向配列の両端に位置する日曜日を、自由に使い分けることが可能になる。例えば、一方列の日曜日のみを利用することも可能であり、また、双方を目的に応じて使い分けても構わない。このように、カレンダー１０１に柔軟性をもたせることで、日付管理の使い勝手が向上する。
【００３１】
図４に示される第３実施形態のカレンダー２０１は、日付表示マトリクス２０８において、横方向の配列２１１が日曜日、月曜日、火曜日、水曜日、木曜日、金曜日、土曜日、日曜日の順に構成されている。更に、このカレンダー２０１は、基材２１０を覆う為の第１非表示カバー２３０と第２非表示カバー２３２が用意されている。この第１及び第２非表示カバー２３０、２３２は、カレンダー２０１の表紙に予め用意されており、チャック部材２０３によって、基材２１０と一緒に綴じられている。
【００３２】
第１非表示カバー２３０は、基材２１０に印刷される日付表示マトリクス２０８の配列２１１における左端の日曜日を覆い隠すことが可能となっている。一方、第２非表示カバー２３２は、配列２１１における右端の日曜日の列を覆い隠すことが可能となっている。従って、好みに応じて、一方の非表示カバー２３０、２３２を切り取ることで、常時、一方の日曜日だけを活用することができる。勿論、双方の非表示カバー２３０、２３２を切り離すことで、双方の日曜日の列を活用することができる。なお、不要となる一方の非表示カバー２３０、２３２を切り離す以外にも、カレンダー２０１の背面側にめくっておき、必要に応じて、非表示カバー２３０、２３２を使い分けることも可能である。
【００３３】
図５に示される第４実施形態のカレンダー３０１は、複数枚の基材３１０が、互いに別体の状態で利用者に提供されており、該当月の基材３１０を一枚ずつスタンド３４４に載せて利用するものである。基材３１０に印刷される日付表示マトリクス３０８において、横方向の配列３１１が、日曜日、月曜日、火曜日、水曜日、木曜日、金曜日、土曜日、日曜日の順に構成されている。更に、配列３１１における土曜日と日曜日の間、及び日曜日と月曜日の間にそれぞれ切断線３４０、３４２がミシン目状態で形成されており、この基材３１０における土曜日と日曜日の間、又は日曜日と月曜日の間を分断可能となっている。月表示欄３０２は、この２本の切断線３４０、３４２の間に配置されており、常に該当月を表示できるように考慮されている。なお、このように切断線３４０、３４２の間に月表示欄３０２を配置する以外にも、各切断線３４０、３４２の両外側に、それぞれ月表示欄３０２を形成しておき、一方が切り離されても、他方の月表示欄３０２が残るようにしても良い。
【００３４】
このカレンダー３０１によれば、例えば日曜日と月曜日の間の切断線３４０に沿って基材３１０を分断することで、配列３１１における左端の日曜日が存在しないカレンダー３１０、即ち月曜日から始まって日曜日に終了するようなカレンダー３０１を簡単に構成することが可能になる。同様に、切断線３４２にとって基材を分断することで、日曜日から始まって月曜日で終了する従来のカレンダー３０１も簡単に構成できる。従って、利用者の好みに応じて、月ごとに、利用したい形態を選択出来るので、大変使い勝手の良いものとなっている。
【００３５】
図６に示される第５実施形態のカレンダー４０１は、図５で示したものと同様に、横方向の配列４１１が、日曜日、月曜日、火曜日、水曜日、木曜日、金曜日、土曜日、日曜日の順に構成されている。又更に、この配列４１１における土曜日と日曜日の間、及び日曜日と月曜日の間にそれぞれ切断線４４０、４４２がミシン目状態で形成されて、この基材４１０における土曜日と日曜日の間、又は日曜日と月曜日の間を分断可能となっている。このカレンダー４０１は、複数枚の基材４１０が予めリング４０５によって綴じられており、各基材４１０を背面側に回転させることで月を更新するようにしている。
【００３６】
カレンダー４０１には、基材４１０を覆う為の第１非表示カバー４３０、及び第２非表示カバー４３２が用意されている。この第１及び第２非表示カバー４３０、４３２については、カレンダー４０１の表紙側に予め用意されており、リング４０５によって基材４１０と一緒に綴じられている。
【００３７】
例えば、１１月において配列４１１における左側の日曜日を隠したい場合、第１非表示カバー４３０を最前面に配置させ、更に１月から１０月の基材４１０に関しては、日曜日と月曜日の間の切断線４４２によって切断して、月曜日〜日曜日側の基材４１０を背面側にめくりあげる。その結果、１１月の基材４１０における左端の日曜日の列が、第１非表示カバー４３０によって常に覆い隠せるようになっている。
【００３８】
従って、本カレンダー４０１でも同様に、配列４１１の両端に位置する日曜日を、毎月、選択的に活用することが出来る。利用者の好みや生活スタイルの変化に合わせて、自分の使いやすいカレンダー４０１にすることができる。
【００３９】
次に、図７〜図９を参照して第６実施形態のカレンダー５０１を説明する。
【００４０】
図７では、カレンダー５０１において２月が終了し、次の３月に更新するために２月分の基材５１０を切り離す直前の状況が示されている。カレンダー５０１は、横方向の配列５１１が、日曜日、月曜日、火曜日、水曜日、木曜日、金曜日、土曜日、日曜日の順に構成されている。そして更に、この配列５１１における金曜日と土曜日の間、及び月曜日と火曜日の間にそれぞれ切断線５５０、５５２がミシン目状態で形成されている。また、土曜日と日曜日の間、及び日曜日と月曜日の間には、谷折が可能となるような折りたたみ線５６０が形成されている。なお、月表示欄５０２は、両折りたたみ線５６０、５６０の間に位置するようになっている。
【００４１】
例えば、次月（３月）において、配列５１１における左側の日曜日を覆い隠したい場合には、２月の基材５１０において、月曜と火曜の間の切断線５５２を切断し、日曜日と月曜日を含んだ側を残した状態で、火曜日、水曜日、木曜日、金曜日、土曜日、日曜日側を切り離す。
【００４２】
次に図８に示されるように、２月の基材５１０において残った日曜日と月曜日を、その間の折りたたみ線５６０に沿って谷折を行い、月曜日側の列を日曜日側の列側に重ねるようにして折り返す。その結果、２月の基材５１０が、３月の基材における非表示カバー５３０として機能し、３月の日付表示マトリクス５０８の配列５１１における左端の日曜日を覆い隠すことが可能になる。なお、ここでは２月の基材５１０の裏面であって、月曜日と一致する領域に、３月に対するメッセージや季節情報が印刷されているので、非表示カバー５３０としての表面に、３月専用のメッセージが表示されるようになっている。
【００４３】
３月が終了した段階で、４月では、配列５１１における右端の日曜日を隠したい場合には、３月の基材５１０において、金曜日と土曜日の間の切断線５５０を切断し、土曜日と日曜日を残した状態で、日曜日、月曜日、火曜日、水曜日、木曜日、金曜日側を切り離す。
【００４４】
次に図９に示されるように、３月の基材５１０において残った土曜日と日曜日を、その間の折りたたみ線５６０に沿って谷折を行い、土曜日側の列を日曜日側の列側に重ねるようにして折り返す。その結果、３月の基材５１０が、４月の基材における非表示カバー５３２として機能し、４月の日付表示マトリクス５０８の配列５１１における右端の日曜日を覆い隠すことが可能になる。ここでも同様に、３月の基材５１０の裏面であって、土曜日と一致する領域に、４月（翌月）に対するメッセージや季節情報が印刷されているので、非表示カバー５３２としての表面に、４月専用のメッセージが表示されるようになっている。
【００４５】
以上、本実施形態では、基材が紙である場合を示したが、本発明はそれに限定されない。例えば、フィルム等の合成樹脂や、木、コルク等、カレンダーに用いることが可能な素材であれば構わない。また、カレンダーの形態として、チャックで綴じたものと、リングによって綴じたもの、各基材を個別に利用するもの等を示したが、本発明はそれに限定されず、少なくとも１年間が表示されるカレンダーとして機能する形態であれば、その態様は限定されないものである。
【００４６】
尚、本考案のカレンダーは、上記した実施の形態に限定されるものではなく、本考案の要旨を逸脱しない範囲内において種々変更を加え得ることは勿論である。
【産業上の利用可能性】
【００４７】
本考案は、カレンダーが用いられる広範囲な分野で活用可能である。
【図面の簡単な説明】
【００４８】
【図１】本考案の第１実施形態に係るカレンダーを示す全体図
【図２】同カレンダーの基材の内部構成を示す全体図
【図３】本考案の第２実施形態に係るカレンダーを示す全体図
【図４】本考案の第３実施形態に係るカレンダーを示す全体図
【図５】本考案の第４実施形態に係るカレンダーを示す全体図
【図６】本考案の第５実施形態に係るカレンダーを示す全体図
【図７】本考案の第６実施形態に係るカレンダーを示す全体図
【図８】同カレンダーにおける使用態様を示す全体図
【図９】同カレンダーにおける他の使用態様を示す全体図
【符号の説明】
【００４９】
１、２０１、３０１、４０１、５０１    カレンダー
８、２０８、３０８、４０８、５０８    日付表示マトリクス
１０、２１０、３１０、４１０、５１０  基材
１１、２１１、３１１、４１１、５１１  配列
１６、１１６、２１６                  運勢情報欄
２３０、２３２、４３０、４３２、５３０、５３２  非表示カバー
３４０、３４２、４４０、４４２、５５０、５５２  切断線
【図１】
0003109609.tif 000003
【図２】
0003109609.tif 000004
【図３】
0003109609.tif 000005
【図４】
0003109609.tif 000006
【図５】
0003109609.tif 000007
【図６】
0003109609.tif 000008
【図７】
0003109609.tif 000009
【図８】
0003109609.tif 000010
【図９】
0003109609.tif 000011